【手続補正書】
【提出日】平成24年4月23日(2012.4.23)
【手続補正１】
【補正対象書類名】明細書
【補正対象項目名】０１５４
【補正方法】変更
【補正の内容】
【０１５４】
上記に述べ、図面に示した実施形態はあくまで一例として示したものであり、本発明の概念及び原理に対する限定を目的としたものではない。このワイヤ全域の抵抗を再度測定し、１．３オームで変化しないことが認められた。本発明の異なる特徴及び態様を以下の特許請求の範囲に記載する。
本発明はまた、以下の内容を包含する。
（１）医用センサシステムであって、
被験者からの生理的特徴に基づいて、電磁信号、電気信号、音響信号、機械的信号、温度信号、及び化学信号の少なくとも１つを含む信号を生成するように適合されたセンサと、
前記センサからの前記信号を受信するように適合されたハブと、
前記センサと前記ハブとを連結するように適合されたコネクタであって、前記コネクタの長さを変えることによって前記センサ及び前記ハブが可変距離離間して位置決めされ得るような可変長を有し、前記センサと前記ハブとの間に前記信号のための経路を提供するように適合された、コネクタと、を含む医用センサシステム。
（２）医用センサシステムであって、
ハブと、
被験者からの生理的特徴に基づいて、電磁信号、電気信号、音響信号、機械的信号、温度信号、及び化学信号の少なくとも１つを含む信号を生成するように適合されたセンサと、
前記センサに連結されたコネクタであって、更に前記ハブに連結されて前記ハブと前記センサとの間に前記信号のための経路を提供するように適合され、可変長を有するコネクタと、を含む医用センサシステム。
（３）前記センサが第１のセンサであり、前記信号が第１の信号であり、かつ前記コネクタが第１のコネクタであり、
前記被験者の生理的特徴に基づいて、電磁信号、電気信号、音響信号、機械的信号、温度信号、及び化学信号の少なくとも１つを含む第２の信号を生成するように適合された第２のセンサと、
前記第２のセンサと前記ハブとを連結するように適合された第２のコネクタであって、前記第２のコネクタの長さを変えることによって前記第２のセンサ及び前記ハブが可変距離離間して位置決めされ得るような可変長を有し、前記第２のセンサと前記ハブとの間に前記第２の信号のための経路を提供するように適合された、第２のコネクタと、を更に含む、項目（１）に記載の医用センサシステム。
（４）前記センサが第１のセンサであり、前記信号が第１の信号であり、前記コネクタが第１のコネクタであり、
前記被験者の生理的特徴に基づいて、電磁信号、電気信号、音響信号、機械的信号、温度信号、及び化学信号の少なくとも１つを含む第２の信号を生成するように適合された第２のセンサと、
前記第２のセンサに連結された第２のコネクタであって、更に前記ハブに連結されて前記ハブと前記第２のセンサとの間に前記第２の信号のための経路を提供するように適合され、可変長を有する第２のコネクタと、を更に含む、項目（２）に記載の医用センサシステム。
（５）前記ハブが、
前記第１のセンサ、前記第２のセンサ、及び下流の機器の少なくとも１つに情報を無線送信する、
前記第１のセンサ、前記第２のセンサ、及び下流の機器の少なくとも１つから情報を無線受信する、及び
これらの組み合わせをする、ように適合された送受信機を含む、項目（３）又は（４）に記載の医用センサシステム。
（６）前記センサが電極を含む、項目（１）〜（５）のいずれか一項に記載の医用センサシステム。
（７）前記ハブがコントローラを含む、項目（１）〜（６）のいずれか一項に記載の医用センサシステム。
（８）前記ハブが前記センサに情報を送るように更に適合される、項目（１）〜（７）のいずれか一項に記載の医用センサシステム。
（９）前記ハブが、前記センサ及び下流の機器の少なくとも１つに情報を無線送信し、前記センサ及び下流の機器の少なくとも１つから情報を無線受信し、これらの組み合わせをするように適合される、項目（１）〜（８）のいずれか一項に記載の医用センサシステム。
（１０）前記ハブが下流の機器に配線で接続されるように適合される、項目（１）〜（９）のいずれか一項に記載の医用センサシステム。
（１１）前記ハブが前記医用センサシステムの単一接続部位としての機能を果たす、項目（１）〜（１０）のいずれか一項に記載の医用センサシステム。
（１２）前記ハブが複数のハブのうちの１個であり、前記センサが前記複数のハブの少なくとも１個と通信するように適合される、項目（１）〜（１１）のいずれか一項に記載の医用センサシステム。
（１３）前記センサが電極を含み、該電極が複数のサテライト電極のうちの１個であり、前記ハブが、前記医用センサシステムがマルチリードＥＣＧを生成するように適合されるように、電極を含む、項目（１）〜（１２）のいずれか一項に記載の医用センサシステム。
（１４）前記コネクタの少なくとも一部分が粘弾性である、項目（１）〜（１３）のいずれか一項に記載の医用センサシステム。
（１５）前記コネクタが支持部材に連結される伝導体を含む、項目（１）〜（１４）のいずれか一項に記載の医用センサシステム。
（１６）前記支持部材が粘弾性であり、前記伝導体が少なくとも１つの曲折部を含む、項目（１５）に記載の医用センサシステム。
（１７）少なくとも前記センサ及び前記コネクタが使い捨てである、項目（１）〜（１６）のいずれか一項に記載の医用センサシステム。
（１８）前記医用センサシステムの少なくとも一部分が放射線透過性である、項目（１）〜（１７）のいずれか一項に記載の医用センサシステム。
（１９）前記伝導体が導電性材料を含む、項目（１５）〜（１８）のいずれか一項に記載の医用センサシステム。
（２０）前記伝導体が導電性厚膜積層体を含む、項目（１５）〜（１９）のいずれか一項に記載の医用センサシステム。
（２１）前記伝導体が光ファイバを含む、項目（１５）〜（２０）のいずれか一項に記載の医用センサシステム。
（２２）前記伝導体が前記支持部材内に埋め込まれる、項目（１５）〜（２１）のいずれか一項に記載の医用センサシステム。
（２３）前記支持部材が第１の支持部材であり、第２の支持部材を更に含み、前記伝導体が該第１の支持部材と該第２の支持部材との間に連結される、項目（１５）〜（２２）のいずれか一項に記載の医用センサシステム。
（２４）前記支持部材が内部を画定し、前記伝導体が前記支持部材の該内部の中に位置決めされる、項目（１５）〜（２３）のいずれか一項に記載の医用センサシステム。
（２５）前記伝導体が渦巻き構造を有する、項目（１５）〜（２４）のいずれか一項に記載の医用センサシステム。
（２６）前記支持部材が少なくとも１つのスリット又は弱化領域を含む、項目（１５）〜（２５）のいずれか一項に記載の医用センサシステム。
（２７）前記コネクタがアコーディオン型形状を含む、項目（１）〜（２６）のいずれか一項に記載の医用センサシステム。
（２８）前記コネクタがスプールの周りに巻かれるように適合される、項目（１）〜（２７）のいずれか一項に記載の医用センサシステム。
（２９）前記スプールが前記ハブに位置付けられる、項目（２８）に記載の医用センサシステム。
（３０）前記コネクタが前記ハブに出たり入ったりする格納式である、項目（１）〜（２９）のいずれか一項に記載の医用センサシステム。
（３１）前記コネクタが、前記電極が前記ハブに対して放射状に及び前記ハブに対して角度を付けての少なくとも一方で移動できるように、適合される、項目（１）〜（３０）のいずれか一項に記載の医用センサシステム。
（３２）外装を更に含み、前記コネクタが少なくとも１つの折り目部分を含み、該外装が前記コネクタの該少なくとも１つの折り目部分を収容するように位置決めされる、項目（１）〜（３１）のいずれか一項に記載の医用センサシステム。
（３３）医用センサシステムを被験者に適用する方法であって、
ハブと、
センサと、
前記センサと前記ハブとを連結するように位置決めされた可変長コネクタであって、前記ハブと前記センサとの間に、電磁信号、電気信号、音響信号、機械的信号、温度信号、及び化学信号の少なくとも１つのための経路を提供するように適合される可変長コネクタと、を含む医用センサシステムを提供することと、
前記センサと前記ハブとの間に適切な距離を提供するために、前記可変長コネクタの長さを変えることと、
前記センサを前記被験者に連結することと、を含む方法。
（３４）前記ハブを前記被験者に連結することを更に含む、項目（３３）に記載の方法。
（３５）前記センサを前記被験者に連結することが、前記可変長コネクタの前記長さを変えた後に生じる、項目（３３）又は（３４）に記載の方法。
（３６）前記可変長コネクタの前記長さを変えることが、前記センサと前記ハブとの間に第１の距離を提供するために前記可変長コネクタの前記長さを１回目に変えることを含み、前記センサと前記ハブとの間に第２の距離を提供するために前記可変長コネクタの前記長さを２回目に変えることを更に含む、項目（３３）〜（３５）のいずれか一項に記載の方法。
（３７）前記可変長コネクタの前記長さを変えることが前記可変長コネクタを長くすることを含み、前記第２の距離が前記第１の距離より大きい、項目（３６）に記載の方法。
（３８）前記可変長コネクタの前記長さを２回目に変えることが、前記センサを前記被験者に連結した後に生じる、項目（３６）又は（３７）に記載の方法。
（３９）前記可変長コネクタの前記長さを変えることが、前記センサと前記ハブとの間の距離を減少させるために前記可変長コネクタを短くすることを含む、項目（３３）〜（３８）のいずれか一項に記載の方法。
【手続補正２】
【補正対象書類名】特許請求の範囲
【補正対象項目名】全文
【補正方法】変更
【補正の内容】
【特許請求の範囲】
【請求項１】
医用センサシステムであって、
ハブと、
被験者からの生理的特徴に基づいて、電磁信号、電気信号、音響信号、機械的信号、温度信号、及び化学信号の少なくとも１つを含む信号を生成するように適合されたセンサと、
前記センサに連結されたコネクタであって、更に前記ハブに連結されて前記ハブと前記センサとの間に前記信号のための経路を提供するように適合され、可変長を有するコネクタと、を含む医用センサシステム。
【請求項２】
前記センサが電極を含む、請求項１に記載の医用センサシステム。
【請求項３】
前記センサが電極を含み、該電極が複数のサテライト電極のうちの１個であり、前記ハブが電極を含み、前記医用センサシステムがマルチリードＥＣＧを生成するように適合される、請求項１または２に記載の医用センサシステム。
【請求項４】
前記コネクタの少なくとも一部分が粘弾性である、請求項１〜３のいずれか一項に記載の医用センサシステム。